(57)【要約】      （修正有）【課題】直尺と呼ばれる物差しにおいて、使用時にずれ動きにくい物差しを提供する。【解決手段】上面に長さを示す目盛りが設けられる物差し１であって、その下面に滑り止め部材３が設けられている。滑り止め部材は、物差し１の下面において２つの長辺のうちの一方の長辺寄りの領域に長手方向全長に亘って連続して又は不連続に設けられる。また、２つの短辺寄りの２ヶ所に設けられてもよい。これにより、物差し１を机上の紙に載せた状態で、それを片手で上から押さえつければ、滑り止め部材３が紙上で滑りにくくなる。【選択図】図１
0003188791.tif 000002
【実用新案登録請求の範囲】
【請求項１】
本体の下面に滑り止め部材が設けられたことを特徴とする物差し。
【請求項２】
請求項１に記載の物差しにおいて、
前記滑り止め部材は、前記本体の下面において２つの長辺のうちの一方の長辺寄りの領域に本体の長手方向全長に亘って連続して又は不連続に設けられたことを特徴とする物差し。
【請求項３】
請求項１に記載の物差しにおいて、
前記滑り止め部材は、前記本体の下面において２つの短辺寄りの２ヶ所に設けられたことを特徴とする物差し。
【請求項４】
請求項１から３のいずれか一つに記載の物差しにおいて、
前記滑り止め部材は、机や紙に対して滑りにくい素材のテープとされ、前記下面に貼り付けられている、ことを特徴とする物差し。
【考案の詳細な説明】
【技術分野】
【０００１】
本考案は、例えば竹尺など、主に直尺と呼ばれる物差しに関する。
【背景技術】
【０００２】
小学１年生の児童が初めて使用する物差しの一つとして竹尺があり、一般に、全長が３０ｃｍのものが多い。また、直尺としては、例えば、特許文献１では直尺の目盛り面の左右所定領域に着色を施すことにより、目視による中心点の見当を付け易くするようにしたものがある。
【先行技術文献】
【特許文献】
【０００３】
【特許文献１】特開平８−１４５６０１号公報
【考案の概要】
【考案が解決しようとする課題】
【０００４】
小学校低学年の児童が初めて直尺（竹尺）を使用して鉛筆などで直線を描くときなどには、竹尺の大きさに比べて児童の手が小さいために、片方の手で竹尺を押さえつつ鉛筆を竹尺の縁に押し当てながら引く動作を行う際に竹尺を支えきれず、鉛筆に押されるかたちで竹尺がずれ動いてしまうことがあり、上手く直線を引くことができないといった問題がある。
【０００５】
ここで、上記特許文献１に示す例のように直尺に目視時の配慮を施したものがあるが、直線を引く際のずれ動きを防止するという使用時の取扱性に配慮したものはない。
【０００６】
このような事情に鑑み、本考案は、使用時にずれ動きにくい物差しを提供することを目的としている。
【課題を解決するための手段】
【０００７】
本考案は、本体の下面に滑り止め部材が設けられたことを特徴としている。
【０００８】
この構成では、物差しを机上の紙に載せた状態で、それを片手で上から押さえつければ、滑り止め部材が紙上で滑りにくくなるので、この物差しの２つの長辺のうちの一方の長辺に沿って鉛筆などで線引きするときに、物差しが鉛筆に押されてずれ動く虞がない。
【０００９】
つまり、物差しを手で特に強く押さえつけなくてもよいので、手がまだ小さい小学校低学年の児童が使用しても、物差しがずれ動きにくくなるなど、使い勝手が良くなる。
【００１０】
好ましくは、前記滑り止め部材は、前記本体の下面において２つの長辺のうちの一方の長辺寄りの領域に本体の長手方向全長に亘って連続して又は不連続に設けられた構成とすることができる。
【００１１】
この構成では、滑り止め部材を本体の下面において２つの長辺のうちの一方の長辺寄りに長手方向全長に亘って連続して又は不連続に設けているので、物差しを紙上に置いた際にがたつくことがなく、紙上で安定させることができる。また、物差しの本体下面の大半の領域が露呈するようになる。そのため、前記露呈領域に、例えば、学年、組、名前などの使用者情報を記載するテープなどを任意に貼ることが可能になるなど、前記本体の下面を有効利用することが可能になる。
【００１２】
また、前記滑り止め部材は、前記本体の下面において２つの短辺寄りの２ヶ所に設けられていてもよい。
【００１３】
この構成でも、物差しを紙上に置いた際にがたつくことがなく、紙上で安定させることができる。また、物差しの本体下面の大半の領域が露呈するようになる。そのため、前記露呈領域に、例えば、学年、組、名前などの使用者情報を記載するテープなどを任意に貼ることが可能になるなど、前記本体の下面を有効利用することが可能になる。
【００１４】
好ましくは、前記滑り止め部材は、机や紙に対して滑りにくい素材のテープとされ、前記下面に貼り付けられた、ものとすることができる。
【００１５】
この構成では、物差しに滑り止め部材を比較的簡単に設けることが可能になるので、生産性に優れたものとなる。
【考案の効果】
【００１６】
本考案に係る物差しは、紙上に線を引く際にずれ動きにくいものであるから、使い勝手が極めて良い。
【図面の簡単な説明】
【００１７】
【図１】本考案に係る物差しの一実施形態で、斜め上から見下ろした状態を示す斜視図である。
【図２】図１の物差しを斜め下から見上げた状態を示す斜視図である。
【図３】図１の物差しの下面図である。
【図４】本考案に係る物差しの他実施形態で、斜め上から見下ろした状態を示す斜視図である。
【図５】本考案に係る物差しの他実施形態で、斜め下から見上げた状態を示す斜視図である。
【図６】本考案に係る物差しの他実施形態で、斜め下から見上げた状態を示す斜視図である。
【考案を実施するための形態】
【００１８】
以下、本考案を実施するための最良の実施形態について添付図面を参照して詳細に説明する。
【００１９】
図１から図３に、本考案の一実施形態を示している。図中、符号１は物差しの全体を示している。
【００２０】
物差し１は、帯状板からなる直尺とされている。この物差し１の素材は、竹、木材、合成樹脂、金属などとされる。
【００２１】
この物差し１の本体２の上面は、短手方向に湾曲するように盛り上がる曲面とされている。この本体２の上面において２つの長辺のうちの一方長辺寄りの領域には、長さを示す目盛りが刻まれている。
【００２２】
この物差し１の本体２の下面には、滑り止め部材３が設けられている。この滑り止め部材３は、１本の細長いテープからなり、本体２の下面において２つの長辺のうちの一方の長辺寄りの領域に長手方向全長に亘って貼り付けられている。
【００２３】
このテープからなる滑り止め部材３は、机や紙などに対して所定の摩擦抵抗を持つような素材（例えば、ゴムあるいは合成樹脂など）で形成されていて、本体２の下面に臨む面には接着剤が付けられている。
【００２４】
この滑り止め部材３の表面つまり露出している面には、図２に示すように、線状突起４を交差するように設けたり、あるいはドットマトリクス状に設けたりすることにより、机や紙などに対する摩擦抵抗をさらに高くすることが可能である。
【００２５】
このような滑り止め部材３を設けた物差し１であれば、当該物差し１を机上の紙に載せた状態で、それを片手で上から軽く押さえつけるだけで、滑り止め部材３が紙上で滑りにくくなるので、この物差し１の２つの長辺のうちの一方長辺に沿って鉛筆などで線引きするときに、鉛筆に押されて物差し１がずれ動く虞がない。したがって、例えば、手がまだ小さい小学校低学年の児童が使用しても、物差し１がずれ動きにくくなるので、そのような児童にとって使い勝手が良くなる。
【００２６】
また、この実施形態のように滑り止め部材３を、細長いテープとして本体２の下面において２つの長辺のうちの一方の長辺寄りに長手方向全長に亘って貼り付ける形態にした場合には、物差し１を紙上に置いた際にがたつくことがなく、紙上で安定させることができる。また、物差し１の本体２の下面の大半の領域が露呈するようになるため、例えば図３に示すように、前記露呈領域に、学年、組、名前などの使用者情報を記載するテープ５を任意に貼ることが可能になるなど、本体２の下面を有効利用することが可能になる。
【００２７】
さらに、この実施形態では、滑り止め部材３を机や紙に対して滑りにくい素材のテープとして、本体２の下面に貼り付けるようにしているので、物差し１に滑り止め部材３を比較的簡単に設けることが可能になるなど、生産性に優れたものとなる。
【００２８】
なお、本考案は、上記実施形態のみに限定されるものではなく、実用新案登録請求の範囲内および当該範囲と均等の範囲内で適宜に変更することが可能である。
【００２９】
（１）上記実施形態では、滑り止め部材３をテープなどとしたが、ゴムや合成樹脂などをコーティングして得られるコーティング剤とすることが可能である。
【００３０】
（２）上記実施形態では、物差し１の本体２の下面にテープからなる滑り止め部材３を単に貼るようにした例を挙げているが、本考案はこれのみに限定されるものではない。
【００３１】
例えば図４に示すように、本体２の下面において滑り止め部材３の設置領域を凹ませておいて、この凹み６内に滑り止め部材３を設置するようにしてもよい。但し、そのとき、滑り止め部材３は、凹み６の開口よりも本体２の下面から突出するような状態とすることが好ましい。
【００３２】
（３）上記実施形態では、滑り止め部材３を１本の細長いテープとして本体２の下面において２つの長辺のうちの一方の長辺寄りに長手方向全長に亘って貼り付ける形態にした例を挙げているが、本考案はこれのみに限定されるものではない。
【００３３】
例えば図５に示すように、滑り止め部材３を３本の細長いテープとして、これらを本体２の下面において２つの長辺のうちの一方の長辺寄りに長手方向全長に亘って不連続に設けることが可能である。前記滑り止め部材３の設置箇所の数は、任意である。
【００３４】
また、例えば図６に示すように、滑り止め部材３を本体２の下面において２つの短辺寄りの２ヶ所に設置することが可能である。この場合も、物差し１を紙上に置いた際にがたつくことがなく、紙上で安定させることができる。また、前記滑り止め部材３は、細長い帯状形にしているが、幅広な長方形としたり、正方形としたり、あるいは円形、楕円形など任意の形状とすることができる。
【産業上の利用可能性】
【００３５】
本考案は、例えば竹尺をはじめとする直尺などの物差しとして好適に利用できる。
【符号の説明】
【００３６】
１      物差し
２      本体
３      滑り止め部材
【図１】
0003188791.tif 000003
【図２】
0003188791.tif 000004
【図３】
0003188791.tif 000005
【図４】
0003188791.tif 000006
【図５】
0003188791.tif 000007
【図６】
0003188791.tif 000008